(57)【特許請求の範囲】
【請求項１】
可視光照明提供サービスに利用する照明光を規定するレシピに関連した情報を含んだデータベースに基づき、遠隔制御端末が通信ネットワークを介してクライアント端末を制御して前記クライアント端末に前記照明提供サービスを実行させる遠隔制御システムにおいて、
前記クライアント端末は、
脳波から脳の活性化状況若しくはリラックス状況を検出するセンサ又は脳磁図測定装置又は脳電図測定装置の検出した生理的状態及び機能的磁気共鳴影像法式を用いた撮像結果を前記遠隔制御端末へ状態通知情報として送信するクライアント端末状態通知情報送信手段と、
前記遠隔制御端末から受信した可視光制御情報に従い、時間分布が１／ｆパターンを持つように色彩毎の輝度又は単色色彩の輝度を制御して提供する可視光照明提供サービスを実行するサービス実行手段と、を備え、
前記遠隔制御端末は、
前記データベースを格納する遠隔制御端末データベース格納手段と、
前記クライアント端末状態通知情報送信手段から前記状態通知情報を受信すると、前記遠隔制御端末データベース格納手段を参照し、前記レシピに基づき、前記状態通知情報に応じた前記可視光照明提供サービスを実行するための可視光制御情報を発生する遠隔制御端末サービス制御手段と、
前記遠隔制御端末サービス制御手段の発生させた前記可視光制御情報を前記クライアント端末に送信する可視光制御情報送信手段と、
を備えることを特徴とする可視光照明用遠隔制御システム。
【請求項２】
前記クライアント端末は、
自己の地理的な位置情報を前記遠隔制御端末に送信するクライアント端末位置情報送信手段と、
前記遠隔制御端末の送信する地理的な位置情報を認証するクライアント端末認証手段と、をさらに備え、
前記遠隔制御端末は、
自己の地理的な位置情報を前記クライアント端末に送信する遠隔制御端末位置情報送信手段と、
前記クライアント端末の送信する地理的な位置情報を認証する遠隔制御端末認証手段と、をさらに備え、
前記遠隔制御端末サービス制御手段は、前記遠隔端末認証手段による認証が成立した場合に、前記可視光制御情報を発生し、
前記サービス実行手段は、前記クライアント端末認証手段による認証が成立した場合に、前記可視光制御情報送信手段の送信する前記可視光制御情報に従い、前記可視光照明提供サービスを実行することを特徴とする請求項１に記載の可視光照明用遠隔制御システム。
【請求項３】
前記クライアント端末は、
可視光照明提供サービスに利用する照明光を規定するレシピに関連した情報を含んだデータベースを格納するクライアント端末データベース格納手段と、
前記クライアント端末認証手段による認証が成立した場合に、前記クライアント端末データベース格納手段を参照し、前記レシピに基づき、前記センサの検出した生理的状態に応じた前記可視光照明提供サービスを実行するための可視光制御情報を発生するクライアント端末サービス制御手段と、をさらに備え、
前記サービス実行手段は、前記クライアント端末認証手段による認証が成立した場合に、前記クライアント端末サービス制御手段の発生させた可視光制御情報に従い、前記可視光照明提供サービスを実行することを特徴とする請求項２に記載の可視光照明用遠隔制御システム。
【請求項４】
前記可視光制御情報送信手段が可視光制御情報を送信する際、
前記クライアント端末位置情報送信手段は、自己の地理的な位置情報を前記遠隔制御端末に繰り返し送信し、
前記遠隔制御端末位置情報送信手段は、自己の地理的な位置情報を前記クライアント端末に繰り返し送信することを特徴とする請求項２又は３に記載の可視光照明用遠隔制御システム。
【発明の詳細な説明】
【技術分野】
【０００１】
本発明は、通信ネットワークを介した、遠隔医療の一環として、遠隔からの、またはローカルな状態における可視光照明の制御を、ユーザの環境状態や心理、生理状態を考慮して、各種センサ、各種医療診断装置、データベースを活用し、高い信頼性と安全性のもとで提供することを可能とする遠隔制御システムに関する。
【背景技術】
【０００２】
従来から、通信ネットワークを介して、照明の輝度、光度、照度又は光量等を遠隔制御する方法は、検討されたことがある（例えば、特許文献１参照。）。従来の照明は、各種のＬＥＤを単一に個別に用いて照明や信号機などに用いたり、白色ＬＥＤを単独に使用したりに限られ、癒し効果のためには用いられていなかった。
【０００３】
一方で、一般のユーザや、精神的に、疾患のある患者にとって、確かな信頼性のある医療機関からの情報に基づいた、「癒しの環境」を与えてほしいという要望が日増しに多くなっている。癒しを実現するための手段も提案されてはいるが（例えば、特許文献２及び３参照。）、医療機関の認証に基づくものでは無く、エンターテイメントな要素が強い状況である。患者の住居が遠方の場合や、または歩行障害を伴う患者の場合には、容易に、このような環境を提供することが困難であり、遠隔からの快適な「癒し」を提供可能とするサービスの需要が増加している。
【特許文献１】特開２００１−２９７８８６号公報
【特許文献２】特開２００２−２９１８９５号公報
【特許文献３】特開２００２−１７２１７２号公報
【発明の開示】
【発明が解決しようとする課題】
【０００４】
可視光照明制御コードを、相互にやり取りすることにより、遠隔から、ユーザの環境条件に配慮して、可視光のさまざまな色彩と輝度を最適に組み合わせ、かつ安全に制御する手段はなかった。
【０００５】
そこで、本発明は、ユーザにとっても最も適切な可視光照明の環境条件を、通信ネットワークを介した遠隔制御によって、リアルタイムで提供することを可能とする遠隔制御システムを目的とする。
【課題を解決するための手段】
【０００６】
本発明に係る可視光照明用遠隔制御システムは、ユーザにとっても最も適切な可視光照明の環境条件をセンサによって検出し、通信ネットワークを介した１／ｆゆらぎ信号を発生する装置を遠隔制御することで安全な可視光照明提供サービスを提供することを特徴とする。
【０００７】
具体的には、本発明に係る可視光照明用遠隔制御システムは、可視光照明提供サービスに利用する照明光を規定するレシピに関連した情報を含んだデータベースに基づき、遠隔制御端末が通信ネットワークを介してクライアント端末を制御して前記クライアント端末に前記照明提供サービスを実行させる遠隔制御システムにおいて、前記クライアント端末は、脳波から脳の活性化状況若しくはリラックス状況を検出するセンサ又は脳磁図測定装置又は脳電図測定装置の検出した生理的状態及び機能的磁気共鳴影像法式を用いた撮像結果を前記遠隔制御端末へ状態通知情報として送信するクライアント端末状態通知情報送信手段と、前記遠隔制御端末から受信した可視光制御情報に従い、時間分布が各種の１／ｆパターンを持つように色彩毎の輝度又は単色色彩の輝度を制御して提供する可視光照明提供サービスを実行するサービス実行手段と、を備え、前記遠隔制御端末は、前記データベースを格納する遠隔制御端末データベース格納手段と、前記クライアント端末状態通知情報送信手段から前記状態通知情報を受信すると、前記遠隔制御端末データベース格納手段を参照し、前記レシピに基づき、前記状態通知情報に応じた前記可視光照明提供サービスを実行するための可視光制御情報を発生する遠隔制御端末サービス制御手段と、前記遠隔制御端末サービス制御手段の発生させた前記可視光制御情報を前記クライアント端末に送信する可視光制御情報送信手段と、を備える。
【０００８】
ユーザまたは患者の心理学的な状態が電子的な情報としてフィードバックし、病院等の施設に転送できる機能を、当該システム内に組み込むことにより、ユーザの状態を的確に勘案した可視光照明提供サービスを提供するシステムの構築が可能となる。
【０００９】
本発明に係る可視光照明用遠隔制御システムは、前記クライアント端末は、自己の地理的な位置情報を前記遠隔制御端末に送信するクライアント端末位置情報送信手段と、前記遠隔制御端末の送信する地理的な位置情報を認証するクライアント端末認証手段と、をさらに備え、前記遠隔制御端末は、自己の地理的な位置情報を前記クライアント端末に送信する遠隔制御端末位置情報送信手段と、前記クライアント端末の送信する地理的な位置情報を認証する遠隔制御端末認証手段と、をさらに備え、前記遠隔制御端末サービス制御手段は、前記遠隔端末認証手段による認証が成立した場合に、前記可視光制御情報を発生し、前記サービス実行手段は、前記クライアント端末認証手段による認証が成立した場合に、前記可視光制御情報送信手段の送信する前記可視光制御情報に従い、前記可視光照明提供サービスを実行することが好ましい。本発明により、病院側と患者側の間における、相互認証メカニズムを、ネットワーク設備とＧＰＳ情報等を活用し、高い信頼性で、かつ迅速に実施できる可視光医療サービスを実現することできる。
【００１０】
本発明に係る可視光照明用遠隔制御システムでは、前記クライアント端末は、可視光照明提供サービスに利用する照明光を規定するレシピに関連した情報を含んだデータベースを格納するクライアント端末データベース格納手段と、前記クライアント端末認証手段による認証が成立した場合に、前記クライアント端末データベース格納手段を参照し、前記レシピに基づき、前記センサの検出した生理的状態に応じた前記可視光照明提供サービスを実行するための可視光制御情報を発生するクライアント端末サービス制御手段と、をさらに備え、前記サービス実行手段は、前記クライアント端末認証手段による認証が成立した場合に、前記クライアント端末サービス制御手段の発生させた可視光制御情報に従い、前記可視光照明提供サービスを実行することが好ましい。病院側からの制御に基づく可視光照明に限定せず、ユーザの好みに近い可視光照明提供サービスを提供することができる。
【００１１】
本発明に係る可視光照明用遠隔制御システムでは、前記可視光制御情報送信手段が可視光制御情報を送信する際、前記クライアント端末位置情報送信手段は、自己の地理的な位置情報を前記遠隔制御端末に繰り返し送信し、前記遠隔制御端末位置情報送信手段は、自己の地理的な位置情報を前記クライアント端末に繰り返し送信することが好ましい。相互認証がなされた後においても、継続的に、認証を行い続けることにより、より、安全で安心できる、可視光の照射制御が可能になる。
【発明の効果】
【００１２】
本発明によれば、遠隔からの可視光照明による可視光照明提供サービスを、ネットワーク設備を有効に活用し、個人別のオーダメイドで提供することができる。さらに、通院することが、困難な、特に身動きが難しい、重度の身体障害者や、高齢者に対しても、可視光照明遠隔制御システムのメカニズムは非常に有効である。
【発明を実施するための最良の形態】
【００１３】
添付の図面を参照して本発明の実施の形態を説明する。以下に説明する実施の形態は本発明の構成の例であり、本発明は、以下の実施の形態に制限されるものではない。
（実施形態１）
図１は、実施形態１に係る可視光照明用遠隔制御システムの構成図である。図２は、クライアント端末および遠隔制御端末の一例を示す構成図である。図１及び図２に示す可視光照明用遠隔制御システムは、病院等の制御センタ８２に配置されている遠隔制御端末１２、ネットワーク１３、および、クライアントユーザ宅８１に配置されているクライアント端末１１が主要な構成要素である。遠隔制御端末１２が通信ネットワーク１３を介してクライアント端末１１を制御してクライアント端末１１に照明提供サービスを実行させる。
【００１４】
病院等の制御センタ８２には、遠隔制御端末１２が配置される。遠隔制御端末１２の設置場所は病院等の制御センタ８２に限られず、照明光を管理センタ施設に設置される。クライアントユーザ宅８１には、クライアント端末１１と、センサ１４と、照明装置１５と、が配置される。クライアント端末１１と遠隔制御端末１２とは通信ネットワーク１３で通信接続される。
【００１５】
センサ１４は、人体の生理的状態を検出する。生理的状態は、精神的な「癒し」を提供可能とするための、人体の生理的情報である。センサ１４は、例えば、脳から発生する磁気信号により測定する脳磁図測定装置（ＭＥＧ：Ｍａｇｎｅｔｏ  Ｅｎｃｅｐｈａｌｏ  Ｇｒａｐｈｙ）、心拍数測定装置、または脳電図（ＥＥＧ：Ｅｌｅｃｔｒｏｅｎｃｅｐｈａｌｏｇｒａｍ）である。脳波から脳の活性化状況やリラックス状況を、アルファ波（８〜１３Ｈｚ）により測定することができる。センサ１４は、脈波測定装置、あるいは、光トポグラフィ等の身体の生理的な状況を測定するものであってもよい。機能的磁気共鳴影像法（ｆＭＲＩ）において、血中の酸素レベルの測定が可能となり、脳のどの部分が特に活発に働いているかも、リアルタイムに判定でき、たとえば、食べ物がほしいと思っている状況や、各種の感情の、高ぶりを示す部位の特定も可能となっている。また、嫌悪感は病気から身を守るために発達した感覚であることを利用して、これらの感覚をｆＭＲＩにより測定を行うことにより、「快適な」感情の測定を行う研究も進められつつある。
【００１６】
従来より脳波は人の各種状態を客観的に計測するための情報として、心理学や精神科などで用いられてきた。脳波により識別できる人の状態として、大きく覚醒時の状態と睡眠時の状態がある。覚醒時においては開眼、興奮状態をβ波の出現を観測することで識別できる。また、閉眼、安静状態についてはα波の出現を観測することで識別することができる。睡眠時の状態に関しては瘤波、紡錘波、徐波等の特徴波の出現状況を観測することにより睡眠の深さを識別できることが知られている。この目的のために、脳電図を活用することが好ましいと考えられる。
【００１７】
更に、ユーザクライアントに当たる患者宅に、脳電図、脳磁図測定装置、脈波測定装置、ｆＲＭＩ等の医療診断装置の他、環境センサ（温度センサ、湿度センサ、気圧センサ、加速度センサ、照度センサ等）がある場合には、患者が、リアルタイムに測定した最新の生活空間の情報や人体の生理的、心理的な情報を、ネットワークを介して病院側へ伝送し、病院側ではこの通知情報に基づいた最適な可視光制御用のレシピを作成することが可能となる。患者の状態や環境状態をリアルタイムにモニターし、その結果に基づいて、可視光の制御を、遠隔から、リアルタイムにかつ、インタラクティブに実施または、変更すると共に、これらの制御を実施している間においても、常時、認証動作を繰り返し実施することにより、遠隔制御の信頼性を向上させる機能を併せ持たせることができる。
【００１８】
実施形態１に係る可視光遠隔制御システムでは、さらに、環境の変化を検出するセンサ（不図示）をさらに備えることが好ましい。環境の変化を検出することで、揺らぎを「自然の状態に近い形態」に変化させることも可能となる。環境の変化は、たとえば、気温、気圧、風圧である。
【００１９】
遠隔制御端末１２は、可視光照明提供サービスに利用する照明光を規定するレシピに関連した情報を含んだデータベースに基づき、照明提供サービスを実行させる。遠隔制御端末１２は、データベースを格納する遠隔制御端末データベース格納手段３１と、遠隔制御端末サービス制御手段３２と、可視光制御情報送信手段３３と、を備える。クライアント端末１１は、クライアント端末状態通知情報送信手段２２と、サービス実行手段２３と、を備える。
【００２０】
遠隔制御端末データベース格納手段３１は、可視光照明提供サービスに利用する照明光を規定するレシピに関連した情報を含んだデータベースを格納する。例えば、図１に示すユーザＡ及びユーザＢごとのデータベース及び疾病ごとのデータベースを格納するユーザごとのデータベースである。また、図１に示す疾病ごとのデータベースである。図３に、照明光を規定するレシピの一例を示す。図３（ａ）は、各種の色彩種別毎に、個々の１／ｆパターンと個別の輝度を設定できる最も一般的なレシピデータの構成例を示す。図３（ｂ）は、各種色彩種別毎に、同一の１／ｆパターンと同一の輝度を設定する最も簡単なレシピデータの構成例を示す。可視光制御用のレシピデータの構成は、ユーザＩＤ、パスワード、ＧＰＳ情報、色彩の種別、色彩の種別毎に、異なるか、もしくは同一の１／ｆパターンの揺らぎ信号を与えられるデータフィールド（１／ｆパターン１、１／ｆパターン２、１／ｆパターン３等）および色彩の種別毎に輝度を同一、または、個別に制御できるフィールド（輝度１、輝度２、輝度３）などから構成されるが、これらの情報を作成する際には、病院側にある制御プログラムを利用する必要があり、適切なパラメータを用いてレシピデータを構成すればよい。更に、ユーザ宅の、患者が特有の疾病を有しているような場合には、その条件を考慮した可視光照射を可能とするためのデータフィールドを設けることも可能である。なお、図３はこれまで述べた、制御レシピデータの各種構成例を示すものであるが、この形態に制限されるものでない。
【００２１】
センサ１４は、生理的状態を検出する。クライアント端末状態通知情報送信手段２２は、センサ１４の検出した生理的状態を遠隔制御端末１２へ状態通知情報として送信する。遠隔制御端末サービス制御手段３２は、クライアント端末状態通知情報送信手段２２から状態通知情報を受信すると、遠隔制御端末データベース格納手段３１を参照し、レシピに基づき、状態通知情報に応じた可視光照明提供サービスを実行するための可視光制御情報を発生する。可視光制御情報送信手段３３は、遠隔制御端末サービス制御手段３２の発生させた可視光制御情報をクライアント端末１１に送信する。サービス実行手段２３は、遠隔制御端末１２から受信した可視光制御情報に従い、時間分布が各種の１／ｆパターンを持つように輝度を制御して可視光照明提供サービスを実行する。照明装置１５は、サービス実行手段２３の出力にしたがって照明光を発生する。照明装置１５が可視光制御情報によって照明光を発するので、図１に示すユーザＡ及びユーザＢのそれぞれの照明装置１５Ａ及び１５Ｂは、ユーザＡ及びユーザＢの個人の好みや、医学的に保障された照明光を発生することができる。
【００２２】
照明装置１５は、可視光制御情報によって制御され、輝度の時間分布が各種の１／ｆパターンを持つような輝度の照明光を発生する装置である。照明装置１５は、例えば、各種のＬＥＤ光源である。照明装置１５は、予め定められた波長の照明光の輝度を制御し、輝度の時間分布が可視光制御情報に応じた１／ｆパターンを持つような照明光を発生する。予め定められた波長は、例えば、赤、青又は黄などの色彩ごとの波長である。また、照明装置１５は、複数種類の色彩の波長の光源を備えることが好ましい。例えば、赤、青、黄の３種類の色彩の波長の光源を備えることが好ましい。この場合、照明装置１５は、色彩毎の輝度の時間分布が各種の１／ｆパターンを持つような輝度の照明光を発生する。
【００２３】
可視光制御装置は、図１に示すように、照明装置１５Ａ及び１５Ｂごとに可視光制御装置４１Ａ、４１Ｂを備えることが好ましい。可視光制御装置は、照明装置１５の発生する照明光の波長又は輝度を制御し、輝度の時間分布が各種の１／ｆパターンを持つように制御する。可視光制御装置は、図１では照明装置と別体となっているが、一体となっていてもよい。
【００２４】
以上の構成によって、精神的な癒し効果を、各種の色彩を持つ可視光を効果的に、かつ個別に制御することにより、遠隔もしくは近接のクライアント端末１１から可能にすることができる。例えば、病院側と患者側の間や、照明光の管理センタ施設と一般のユーザ宅の間において、ネットワーク設備とＧＰＳ情報等を活用し、相互認証メカニズムを組み込むことにより、安全、かつ迅速に、各個人に適した、オーダメイドの可視光の照明環境を、高い信頼性で、かつ安価に提供することが可能となり、精神的な医療サービスとしての実現することが、可能になる。
【００２５】
図１に示す可視光遠隔制御システムでは、さらに、クライアントユーザ宅８１にクライアント端末位置情報取得手段１６が配置され、制御センタ８２に遠隔制御端末位置情報取得手段１７が配置されていることが好ましい。この場合、クライアント端末１１は、図２に示すように、クライアント端末位置情報送信手段２５と、クライアント端末認証手段２６と、クライアント端末データベース格納手段２７と、を備える。また、遠隔制御端末１２は、図２に示すように、遠隔制御端末位置情報送信手段３５と、遠隔制御端末認証手段３６とを備える。
【００２６】
クライアント端末位置情報取得手段１６は、衛星測位システムによってクライアント端末１１の地理的な位置情報を取得する。クライアント端末位置情報送信手段２５は、クライアント端末１１の地理的な位置情報を遠隔制御端末１２に送信する。遠隔制御端末認証手段３６は、遠隔制御端末データベース格納手段３１を参照し、クライアント端末１１の送信する地理的な位置情報を認証する。遠隔制御端末サービス制御手段３２は、遠隔端末認証手段３６による認証が成立した場合に、可視光制御情報を発生する。
【００２７】
一方で、遠隔制御端末位置情報取得手段１７は、衛星測位システムによって遠隔制御端末１２の地理的な位置情報を取得する。遠隔制御端末位置情報送信手段３５は、遠隔制御端末１２の地理的な位置情報をクライアント端末１１に送信する。クライアント端末認証手段２６は、遠隔制御端末１２の位置情報などの認証情報を含んだデータベースを格納するクライアント端末データベース格納手段２７を参照し、遠隔制御端末１２の送信する地理的な位置情報を認証する。サービス実行手段２３は、クライアント端末認証手段２６による認証が成立した場合に、可視光制御情報送信手段３３の送信する可視光制御情報に従い、可視光照明提供サービスを実行する。
【００２８】
クライアント端末位置情報取得手段１６は、クライアント端末１１が据え置き型の端末であれば、例えば患者のクライアントユーザ宅８１の位置情報を取得する。遠隔制御端末位置情報取得手段１７は、遠隔制御端末１２が据え置き型の端末であれば、例えば制御センタ８２の位置情報を取得する。位置情報は、例えば、地球上での緯度と経度である。位置情報は、高さ情報を含んでいてもよい。位置情報の精度が高ければ、アンテナの設置場所によって認証用の位置情報が変えられるので、第三者のなりすましを防ぎ、認証用のパスワードとして適用することができる。このため、位置情報の精度は、１ｍ以下であることが好ましく、さらに１００ｍｍ以下であることが好ましい。
【００２９】
遠隔制御端末データベース格納手段３１は、さらに、図３に示されるように、ユーザＩＤとパスワードのほかに、ＧＰＳ情報が内蔵されていることが好ましい。ＧＰＳ情報は、衛星測位システムによって得られる位置情報や、衛星から受信される各種情報としてもよい。遠隔制御端末１２は、情報の送信側（発信側）の位置情報を、常時、認証することにより、ユーザクライアントとの間で相互認証を行うことができる（例えば、特願２００６−２９１３１１参照）。位置情報を用いた相互認証方式に加え、更に、公開鍵認証方式と組み合わせることが好ましい。ユーザクライアント宅では、遠隔の病院との間で相互に認証がとれた後は、病院側は、各個別のユーザ毎に適切なレシピ情報を、ユーザ毎のデータベースから選んで、送出することや、または、疾病毎に特有なデータベースから選んで、適切なレシピ情報を送ることができる。
【００３０】
クライアント端末データベース格納手段２７は、遠隔制御端末１２を認証するための認証情報を格納している。認証情報については、遠隔制御端末１２との間で相互に認証を行うことから、遠隔制御端末データベース格納手段３１に格納されている認証情報と同様のものを格納していることが好ましい。
【００３１】
ＧＰＳ情報とデータベースを結合して、情報の送信側（発信側）である遠隔制御端末１２の位置情報を、相互認証する方式については提案されている（特願２００６−２９１３１１参照。）。この時に、クライアント端末１１と遠隔制御端末１２との間でやり取りする情報として、可視光制御情報に対して、ＬＥＤ光源の色彩別に、輝度を制御し、かつ、１／ｆゆらぎのパターンを、医学データベースや個人情報を用いて、各ユーザ毎に、個別にオーダメイドで提供することができる。すなわち、ＧＰＳ情報を認証情報として活用するシステムは考案されているが、ＧＰＳ情報等の位置識別情報を用いて相互認証後に、可視光照明を、個人個人のオーダメイドで、好みや、医療目的に応じて、遠隔から、安全に提供できる、メカニズムとを組み合わせて、実施できる。
【００３２】
クライアント端末１１は、クライアントユーザ宅８１内の、複数のユーザＡ及びユーザＢに対しても、オーダメイドの可視光照明提供サービスをレシピデータに基づいて行うことができる。病院等の制御センタ８２側からのネットワーク１３を介して送信される可視光制御情報の中には、さらに、ユーザＩＤとパスワードのほかに、位置情報が内蔵されていることが好ましい。ユーザクライアント８１宅では、受信した可視光制御情報をクライアント端末１１とデコーダにより解読し、その後で、可視光制御情報に含まれているレシピに基づいて、可視光の照射を、個別ユーザ毎に制御することができる。１つのクライアントユーザ宅８１の中に、複数のユーザがいる場合においても、上記の制御は、同様に可能である。
【００３３】
本実施形態に係る可視光遠隔制御システムは、従来の単なる可視光照明に加えて、個人の好みや、医学的に保障された１／ｆゆらぎを加えることによる各種のＬＥＤ光源を、個別制御が可能な簡易装置をユーザ宅に設置し、この制御装置を遠隔からネットワーク経由で、しかるべき認証が相互に成立した後に、従来の医療システムでは実現が困難であった、信頼性の高い、安全な遠隔医療サービスの一つである可視光照明提供をネットワーク１３上で、ＧＰＳ情報、医療データベース、公開鍵およびＰ２Ｐネットワーク技術などを、効果的に、組み合わせ、安価に構築できる。また、当該情報が、既に入手されていれば、この情報を活用して、ネットワークと切り離して、活用することも可能となる。
【００３４】
本実施形態では、さらに、可視光制御情報送信手段３３が可視光制御情報を送信する際、クライアント端末位置情報送信手段２５は、自己の地理的な位置情報を遠隔制御端末１２に繰り返し送信し、遠隔制御端末位置情報送信手段３５は、自己の地理的な位置情報をクライアント端末１１に繰り返し送信することが好ましい。可視光制御情報送信手段３３及びクライアント端末位置情報送信手段２５が繰り返し位置情報を送信することで、クライアント端末認証手段２６及び遠隔制御端末認証手段３６が随時認証を行う。
【００３５】
本実施形態に係る可視光遠隔制御システムは、安全な、信頼性の高い医療機関が、可視光の情報種別、ゆらぎ種別を提供する際に、正規に登録された機関からの情報であるかどうかを、ネットワーク１３を用いて、ユーザまたは患者のクライアントユーザ宅８１側でも、当該の可視光制御情報を受信して可視光の照明制御情報を提供してもらう際に、相互認証後に、初めて使用できるため、安全面の上でも万全を期した使用条件で活用できる。
【００３６】
照明装置１５による単なる可視光照明に加えて、個人の好みや、医学的に保障された１／ｆゆらぎを加えることによる照明装置１５を、個別制御が可能な簡易装置をクライアント端末１１によってクライアントユーザ宅８１に設置し、この制御装置を遠隔からネットワーク１３経由で、位置情報などを用いたしかるべき認証が相互に成立した後に、従来の医療システムでは実現が困難であった、信頼性の高い、安全な遠隔医療サービスの一つである可視光照明提供をネットワーク１３上で、ＧＰＳ情報、医療データベース、公開認証鍵およびＰ２Ｐネットワーク技術などを、効果的に、組み合わせて、安価に構築できる。また、当該情報が、クライアント端末１１側で既に、別の手段で入手されていれば、この情報を活用して、外部のネットワーク１３と切り離して、同一施設内、または居室内の当該の情報を活用することも可能となる。
【００３７】
本実施形態に係る可視光遠隔制御システムは、従来の単純な可視光照明から一歩踏み込んで、癒し効果の高い、精神療法を、認証された医療機関等からの遠隔制御により、安全に実現できる。ホテルでの重要顧客用の部屋の空間に、快適な可視光照明の環境等を提供するサービスにも、この手段は、同様に提供可能である。更に、各医療機関が提供する可視光制御用のデータベース情報を、医療機関の相互認証後に、相互の機関同士で有効に活用することも実現が可能となり、治療効果の促進など、今後の医療福祉社会に利用することができる。
【００３８】
既存の香料または薬剤を発生させることのできる装置をクライアントユーザ宅８１側のクライアント端末１１に接続し、医療機関等の制御センタ８２が提供する遠隔制御端末データベース格納手段３１に格納されているデータベースの情報を用いて、ネットワーク１３を活用して安全かつ確実に、医療機関が、遠隔医療を行うことのできる実現手段を上述した別装置を併置して、一緒に使用することも可能であり、遠隔医療に対する利便性や、信頼性を飛躍的に向上することが、初めて可能となる。
【００３９】
本実施形態に係る可視光遠隔制御システムによれば、従来の可視光照射システムでは実現が困難であった、信頼性が高く、かつ安全な遠隔からの可視光照明による、医療サービスを、ネットワーク設備を有効に活用し、高精度の安価なＧＰＳ情報、公開暗号方式、センサ等を、適宜、効果的に組み合わせて、個人個人のオーダメイドで使用することにより、初めて実現することができる。また、本実施形態で開示したメカニズムは、可視光照明にとどまらず、薬剤、香料または、音楽、映像情報等を、ユーザ宅にて、提供することのできる装置の制御にも活用することができ、本実施形態により、遠隔医療のみならず、遠隔から、お客様に対してリラクゼーションに適した「癒し」環境を提供することも可能となる。また、アロマセラピストによる、遠隔診療や、喘息等の患者に対する、適切な薬剤投与等を、可視光照明と併せて活用し、これらの制御を、医師および医療機関の責任において、相互に認証が、確実に行われた後に、安全に実施することも可能となり、安全なネットワーク管理のもとで、医師と患者が相互に安全を確認した上で実施できるため、遠隔医療の信頼性を飛躍的に高めることが可能となる。
【００４０】
（実施形態２）
図４は、実施形態２に係る可視光照明用遠隔制御システムの構成図である。図４に示す可視光遠隔制御システムの構成は図１とほぼ、同等であるが、図４では切替え装置４３を備える点で異なる。
【００４１】
切替え装置４３は、病院等の制御センタ（親側装置）のレシピ情報によらず、ユーザクライアント宅の中において、独自に、必要に応じて切り替えるための切替え制御を行う。環境のモニター用のセンサ１８−１および１８−２を介して受信したデータに基づき、当該のセンサデータが処理され、ネットワーク１３を介して病院側から送られる可視光制御情報と同等のフォーマットを持つデータ形式に変換する。このようにして、病院側からの制御に基づく可視光照明に限定せず、独自のセンサ回路による制御を行うことが可能となる。
【００４２】
切替え装置４３は、クライアント端末１１と別に設けることができる。図４では、クライアント端末１１とデコーダ４２の間に接続される例を示した。切替え装置４３は、クライアント端末１１に内蔵されていてもよい。
【００４３】
安全な、信頼性の高い医療機関が、可視光の情報種別、ゆらぎ種別を提供する際に、正規に登録された機関からの情報であるかどうかを、ネットワーク１３を用いて、ユーザまたは患者の側に設置されるクライアント端末１１でも、遠隔制御端末１２から送信される可視光制御情報を受信して可視光の照明制御情報を提供してもらう際に、相互認証後に、初めて使用できるため、安全面の上でも万全を期した使用条件で活用できる特徴を有する。更に、相互認証がなされた後においても、継続的に、認証を行い続けることにより、より、安全で安心できる、可視光の照射制御が可能になるという特徴を有している。
【００４４】
図５は、本実施形態に係るクライアント端末および遠隔制御端末の一例を示す構成図である。本実施形態に係る可視光照明用遠隔制御システムでは、実施形態１に係る可視光照明用遠隔制御システムに加え、さらに、クライアント端末１１は、切替え装置４３に相当するクライアント端末サービス制御手段２８と、を備える。
【００４５】
クライアント端末認証手段２６は、遠隔制御端末１２の位置情報などの認証情報を含んだデータベースを格納するクライアント端末データベース格納手段２７を参照し、遠隔制御端末１２の送信する地理的な位置情報を認証する。サービス実行手段２３は、クライアント端末認証手段２６による認証が成立した場合に、可視光制御情報送信手段３３の送信する可視光制御情報に従い、可視光照明提供サービスを実行する。
【００４６】
本実施形態では、クライアント端末データベース格納手段２７は、さらに、可視光照明提供サービスに利用する照明光を規定するレシピに関連した情報を含んだデータベースを格納する。センサ１４が生理的状態を検出すると、クライアント端末サービス制御手段２８は、クライアント端末データベース格納手段２７を参照し、レシピに基づき、センサ１４の検出した生理的状態に応じた可視光照明提供サービスを実行するための可視光制御情報を発生する。サービス実行手段２３は、クライアント端末サービス制御手段２８の発生させた可視光制御情報に従い、可視光照明提供サービスを実行する。照明装置１５は、可視光制御情報に従い照明光を発生する。
【００４７】
ここで、クライアント端末サービス制御手段２８は、クライアント端末認証手段２５による認証が成立した場合に、可視光制御情報を発生することが好ましい。または、サービス実行手段２３は、クライアント端末認証手段２６による認証が成立した場合に、クライアント端末サービス制御手段２８の発生させた可視光制御情報に従い、可視光照明提供サービスを実行することが好ましい。
【００４８】
サービス実行手段２３は、クライアント端末認証手段２６による認証が成立した場合に、クライアント端末サービス制御手段２８の発生させた可視光制御情報に従い、可視光照明提供サービスを実行する。照明装置１５は、可視光制御情報に従い照明光を発生する。
【００４９】
図６は、実施形態２に係る可視光遠隔制御システムの別形態の構成図である。図６に示す可視光遠隔制御システムは、図４に示す可視光遠隔制御システムと、ユーザＡの可視光ＬＥＤによる照明光の照射が「電子ろうそく」である点で異なる。「電子ろうそく」のような光を発生する「オブジェ」に対して、この制御方式を活用し、「癒し空間」を生成することも可能である。実際のろうそくに近い性質を持つ「電子ろうそく」を実現するためには、色彩、輝度、自然の揺らぎを擬似した１／ｆゆらぎを実現する制御方式に加え、例えば、家のドアが開いたことにより、センサ１８−１を用いて「気圧の変化」を検出したり、センサ１８−２を用いて「温度」を検出したり、または他のセンサ（不図示）を用いて「風圧」の変化などを加えることにより、一時的に、揺らぎを、「自然の状態に近い形態」に変化させることも可能となる。
【００５０】
図７は、実施形態１及び実施形態２に係る可視光遠隔制御システムにおける照明装置の実施例である。図７に示す照明装置１５は、図１に示す可視光制御装置４１Ａ又は４１Ｂが一体となった構成となっている。また、クライアント端末１１の外部にデコーダ４２が接続されている場合の構成例を示す。本実施例において、遠隔制御端末１２から送られる可視光制御情報のうち、ユーザＩＤ、パスワード、ＧＰＳ情報は、相互認証用に使用されることは既に述べたとおりである。
【００５１】
クライアント端末１１は、色彩の種別１、色彩の種別２、色彩の種別３、色彩の種別１の輝度１、色彩の種別２の輝度２、色彩の種別３の輝度３、色彩の種別１の１／ｆパターン、色彩の種別２の１／ｆパターン、色彩の種別３の１／ｆパターンを含む可視光制御情報を受信する。クライアント端末１１は、当該の制御情報を受信後に、マイコン制御回路を含むデコーダ４２により、輝度と色彩と１／ｆ揺らぎの各パラメータを伝送されたデータに含まれる制御コードを解読した後に可視光照明を制御できる。
【００５２】
本実施形態に係る制御メカニズムは、安全な可視光照明提供サービスを、ＧＰＳ情報、公開暗号方式を用いてネットワークを有効に活用し、更に、マイコンを用いた１／ｆゆらぎ信号を発生するクライアント端末１１または装置、および当該装置の発生する信号により、ＬＥＤを制御し、ＬＥＤの発光する照明光の制御を実現する回路、並びに個人個人に適した可視光照明の制御パターンを格納するための、データベース技術の全てを、効果的に組み合わせて使用することにより実現できる。
【００５３】
デコーダ４２は、受信した可視光制御情報をもとに、照明装置１５を制御する。照明装置１５は、通常のＬＥＤ照明は直流電源または交流電源を備え、赤、青、緑等の色彩を照射できる。色彩ごとの電源供給部分にデコーダ４２の出力を接続し、これらの色彩光に対して、指定された１／ｆ揺らぎで変調することにより、色彩毎に個別の、１／ｆ揺らぎ照明を発生させることができる。更にこれらの１／ｆ照明は、個別に輝度の調整が可変抵抗に与える可視光制御情報により、調合することが可能となる。
【００５４】
図８は、実施形態１及び実施形態２に係る照明装置における、マイコン（プロセッサ等）を用いたデコーダの一例である。デコーダ４２は、入力情報として、ユーザＩＤ情報とレシピ情報を入力バッファに蓄積し、当該データを逐次、読み出しを行い、予め作成されたレシピ解析用のプログラムに基づいて、各種の色彩の光を照射するＬＥＤ光に対して、どの種類の１／ｆ揺らぎパターンを選択するか、また、どの輝度を与えるべきかを指示することができる。このとき、デコーダ４２には、予め、各種の１／ｆパターン信号を発生できる回路を組み込んでおく必要がある。１／ｆパターンは、例えば、間欠性カオスがある。１／ｆゆらぎをあらわす１つのパターンの例として、間欠性カオスを利用する場合には、次式によって、ＬＥＤの輝度の値を時々刻々計算する方法があげられる。
（ａ）０＜Ｘ（ｔ）＜０．５の時
Ｘ（ｔ＋１）＝Ｘ（ｔ）＋２Ｘ（ｔ）２
（ｂ）１＞Ｘ（ｔ）≧０．５の時
Ｘ（ｔ＋１）＝Ｘ（ｔ）−２（１−Ｘ（ｔ））２
ここでは、時刻（ｔ＋１）での輝度Ｘ（ｔ＋１）（最大値１）が、１単位時間前の輝度Ｘ（ｔ）によって決められるが、この単位時間を例えば、０．１ｍｓｅｃ〜１ｓｅｃの間隔を変更することによっても、照明としての、ゆらぎのパターンの変化を実現することができる。
【００５５】
図９は、実施形態１及び実施形態２に係る可視光遠隔制御システムの構成に対して、新たに、クライアント端末１１側からの、状態通知情報を、遠隔制御端末１２（病院側）へフィードバックすることにより、インタラクティブに、可視光制御を実現するための実施例である。図９に示す構成例においては、クライアントユーザ宅８１にある、人体の生理的情報を、脳波測定装置等の生理的状態を検出するセンサ１４を用いて、脳から発生する脳波（電気信号）の値を測定して、脳の活性化状況やリラックス状況を、アルファ波（８〜１３Ｈｚ）の識別により、より的確に把握することができる。更に、脈波測定装置、脳磁図測定装置、心拍数測定装置、ｆＭＲＩ又は光トポグラフィーをセンサ１４として用い、生理的状態のデータを、遠隔制御端末１２がリアルタイムに判定し、遠隔の病院等へネットワーク１３を通じて送信できる。このフィードバックを迅速に、行うことにより、クライアントユーザ宅８１にいる患者が、「快適な」となるような、照明光のレシピを遠隔から返送することが可能となる。
【００５６】
このメカニズムを活用することにより、例えば、光パターンを人に提示して視覚的に刺激することにより人を安静状態に導く空間（以下癒し空間と呼ぶ）の創成が可能である。この実現のためには、センサ１４によって脳波中のα波をモニターすることにより、照射する光のパターンが、確かに人に対して安静状態に導く効果（以下リラクゼーション効果）を与えているかどうかを、遠隔制御端末１２がリアルタイムにモニターして、客観的に自動判定し、その情報を病院側に、ネットワーク１３経由で伝送する手段を活用することにより、個人個人の異なる状態に応じて、より適切なリラクゼーション効果を持つと考えられる光パターンを、遠隔制御端末１２の遠隔制御端末データベース格納手段に格納されているデータベースより、選択することのできるフィードバックシステムを構築することが可能となる。
【００５７】
一般的に、α波の出現のモニターは国際１０−２０電極配置法の後頭電極Ｏ１およびＯ２において測定した脳波を８〜１３Ｈｚのα波帯域フィルタに通しパワースペクトルを求め、おおむね、脳波の定常状態と考えられる最低２０秒間の平均パワーが一定の閾値を超えたかどうかを判断することにより行うことが好ましい。ただし、使用者により安静閉眼状態のα波帯域のパワースペクトルのレベルには、一般的に、個人差があるため、閾値は使用者ごとに適切なものを選択することが、好ましい。従って、本システムを使用する前に、使用者は、安静閉眼状態と、その他の状態時の脳波を計測しておき、両状態のα波帯域のパワースペクトルのレベルの中間の値を、α波出現を判定する閾値に決定し、データベースに記録しておいて、この閾値を指標とすることが好ましい。図１０に、以上の述べた、α波出現判定用閾値の決定のための処理フローを示し、図１１に前記データベースを活用したα波の出現判定のための実施例を示す。
【００５８】
α波出現判定用閾値の決定について、図１０を用いて説明する。ステップＳ１１１では、ユーザの安静閉眼時及びその他の状態の脳波を計測する。例えば、図１で説明したセンサ１４によって計測する。ステップＳ１１２では、ステップＳ１１１で計測した脳波から、α波帯域パワーの計算を行う。ステップＳ１１３では、安静閉眼時と安静閉眼時ではない時の状態との閾値を計算する。ステップＳ１１４では、ステップＳ１１３で計算した閾値を、可視光照明提供サービスに利用する照明光を規定するレシピに関連した情報を含んだデータベースに登録する。可視光照明提供サービスを提供する際、新たに登録した閾値を用いてレシピを作成する。
【００５９】
α波の出現判定について、図１１を用いて説明する。ステップＳ２１１では、ユーザの脳波を計測する。例えば、図１のセンサ１４によって計測する。ステップＳ２１２では、ステップＳ２１１で計測した脳波から、α波帯域パワーの計算を行う。ステップＳ２１３では、ステップＳ２１２で計算したα波帯域パワーを、閾値の登録されているデータベースを参照し、あらかじめ登録されている閾値と比較する。比較によって、安静閉眼状態であるか否かを判定する。比較の結果、α波帯域パワーが閾値を超えればステップＳ２１４に移行し、α波帯域パワーが閾値を超えなければステップＳ２１５に移行する。ステップＳ２１４では、安静閉眼状態である旨を出力する。ステップＳ２１５では、安静閉眼状態ではない旨を出力する。
【００６０】
一方、心臓の拍動の変化に関しては、当該の変化を、拍動に伴って生じる電位変化として捉え、心電計や脳波計により計測して知ることができる。あるいは、脈波計等により、拍動に伴い、押し出される血液の圧力変化を光学式センサなどを用いて、計測して知ることができる。一般的に、拍動の速さは自律神経系により制御されており、自律神経系は交感神経と副交感神経とから成り、拮抗した作用を持つことが知られている。人が興奮時には交感神経の働きが勝ることにより、拍動が小さく、速くなることが知られている。一方、落ち着いているときには、副交感神経が勝ることにより、拍動は大きく、遅くなることが知られている。一般的に、拍動の速さは、計測された拍動波形のピーク間隔（Ｒ−Ｒ間隔）などを測り、隣り合うピークの間隔の逆数を計算することにより知ることができる。心電計による拍動波形のピークは、その他の部分に比べて、突出しているため、ピークを検出する閾値を容易に定めることが可能である。例えば、ノイズなどによる波形のゆるやかなゆらぎを除去するために、１０Ｈｚ程度のカットオフ周波数をもつハイパスフィルタを、予め使用し、つぎに、波形の最大値の約半分程度を、閾値とすることにより、ピーク時刻を検出することが可能である。
【００６１】
また、脈波計の場合には、測定波形の２次微分値（加速度脈波）のピーク値を用いて、上記と、同様の処理により、拍動の速さを求めることができる。一般に、使用者によって、安静時の拍動の速さには個人差があるため、本提案システムを使用する前に、病院側の施設等の使用者は、安静状態と、その他の状態時の拍動値を計測しておき、両状態での、拍動の速さの中間の値を安静時判定のための拍動の速さの閾値に決定し、データベースに記録しておくことが望ましい。図１２に、心電図または脈波による安静状態判定用閾値の決定処理フローの一例を、図１３に心電図または脈波による安静状態判定のフローの一例を示す。
【００６２】
安静状態判定用閾値の決定について、図１２を用いて説明する。ステップＳ３１１では、ユーザの安静状態及びその他の状態の心電図又は脈波を計測する。例えば、図１で説明したセンサ１４によって計測する。ステップＳ３１２では、ステップＳ３１１で計測した心電図又は脈波から、拍動の速さを算出する。ステップＳ３１３では、安静状態と安静状態ではないときの閾値を計算する。ステップＳ３１４では、ステップＳ３１３で計算した閾値を、可視光照明提供サービスに利用する照明光を規定するレシピに関連した情報を含んだデータベースに登録する。可視光照明提供サービスを提供する際、新たに登録した閾値を用いてレシピを作成する。
【００６３】
安静状態判定について、図１３を用いて説明する。ステップＳ４１１では、ユーザの心電図又は脈波を計測する。例えば、図１のセンサ１４によって計測する。ステップＳ４１２では、ステップＳ４１１で計測した心電図又は脈波から、拍動の速さを算出する。ステップＳ４１３では、ステップＳ４１２で計算した拍動の速さを、閾値の登録されているデータベースを参照し、あらかじめ登録されている閾値と比較する。比較によって、安静状態であるか否かを判定する。比較の結果、拍動の速さが閾値を超えればステップＳ４１４に移行し、拍動の速さが閾値を超えなければステップＳ４１５に移行する。ステップＳ４１４では、安静閉眼状態ではない旨を出力する。ステップＳ４１５では、安静状態である旨を出力する。
【００６４】
以上述べた法により、計測あるいは、取得された使用者の生理的状態データ等は、病院等の施設へ、ネットワーク経由で転送され、病院内では、ユーザあるいは、患者等の生理的状態等の判定を行うことができる。
【００６５】
なお、状態判定のための、閾値のデータベースは、ネットワーク経由によりデータを格納しておくことや、当該の取得データは、どこに存在しても利用可能であるため、当該データベースの設置場所は、使用者の使用場所、または病院内のどちらであっても良いことはいうまでもない。
【００６６】
このようにして、ユーザクライアント宅における、各種の測定結果は、遠隔の制御センター（親側制御装置）にリアルタイムに送信し、遠隔の親側制御装置では、この受信結果に基づいて、ユーザ宅にある可視光制御装置等を、ネットワークを介して、インタラクティブに、かつ、リアルタイムに、ユーザ宅にある可視光制御装置が照射する、可視光の制御の内容を、随意に、変更して診療効果を向上させることが、可能となる。例えば、病院では使用者の現在の状態の情報を元に、安静状態へ導くための光パターンの調整を行うことが可能であり、以下に調整方法の一例を示す。光パターンの調整法に関しては、制御調整の対象となるべき要素として、色彩の調整と明るさ（光度または輝度）が想定できる。明るさや色彩の調整に関しては、光パターンは光の３原色である赤、緑、青の３色のＬＥＤにより作ることができ、それぞれの輝度を調整することにより、明るさと色彩の変化を与えることができる。
【００６７】
赤、緑、青の各色の輝度の強さをそれぞれ記号ＲＳ、ＧＳ、ＢＳで表すこととする。この値は輝度が０の場合を０とし、その他の輝度を任意の３段階に分け、例えば、最小値１、中間値２、最大値３の４段階で調整することが、好ましい。また、時間的変化の調整に関しては、赤、緑、青の３原色の各色の輝度を、時間によらず一定に保つ場合と、時間的な変化を伴う場合に分けて制御することが可能である。例えば、時間的変化の調整のために、間欠カオス法により生成される、１／ｆゆらぎのリズムを用いることが、一例として考えられるが、これに限定されるものではない。ここで、間欠カオス場合を例にとり、パラメータ更新周期を記号Ｆで表すこととする。この値は周期が無限大（時間的変化がない場合）の場合を４とし、それ以外の周期を任意の３段階に分け、最小値１、中間値２、最大値３の４段階で調整することが可能である。
【００６８】
以下に、調整方法の一例を示す。例えば、生体信号と光パターンの調整に当たっては、光パターンは脳波のα波帯域のパワースペクトルのレベルや、拍動の速さなどの生体信号により、人を安静状態へ導くための、「癒し空間」の創成のために、以下の４つの方法により調整を行うことが、好ましい。
【００６９】
（１）脳波のα波帯域のパワースペクトルと明るさ・色の調整法の一例
以下のステップに従って調整を行う方法が考えられる。
ステップ１：初期設定としてＧＳ＝１、ＢＳ＝０、ＲＳ＝０とする。緑の光から開始する理由は、一般的に、カラーセラピーにおいて、緑が安静に効果があるといわれているためである。
ステップ２：α波帯域のパワースペクトルのレベルにより安静閉眼状態であるかを判定する。安静閉眼状態であればステップ２を繰り返す。
ステップ３：  ＧＳ＜３ならＧＳ＝ＧＳ＋１としてステップ２へ移行する。
ステップ４：ＢＳ＜３ならＢＳ＝ＢＳ＋１、ＧＳ＝０としてステップ２へ移行する。
ステップ５：  ＲＳ＜３ならＲＳ＝ＲＳ＋１、ＧＳ＝０、ＢＳ＝０としてステップ２へ移行する。
【００７０】
（２）拍動の速さと明るさ・色の調整法の一例
以下のステップに従って調整を行うが考えられる。
ステップ１：初期設定としてＧＳ＝１、ＢＳ＝０、ＲＳ＝０とする。緑の光から開始する理由は、カラーセラピーにおいて、緑が安静に効果があるといわれているためである。
ステップ２：  拍動の速さにより安静状態であるかを判定する。安静状態であればステップ２を繰り返す。
ステップ３：  ＧＳ＜３ならＧＳ＝ＧＳ＋１としてステップ２へ移行する。
ステップ４．：ＢＳ＜３ならＢＳ＝ＢＳ＋１、ＧＳ＝０としてステップ２へ移行する。
ステップ５：  ＲＳ＜３ならＲＳ＝ＲＳ＋１、ＢＳ＝０、ＢＳ＝０としてステップ２へ移行する。
【００７１】
（３）脳波のα波帯域のパワースペクトルと時間的変化の調整法の一例
以下のステップに従って調整を行う方法が考えられる。
ステップ１：初期設定としてＦ＝１とする。
ステップ２：α波帯域のパワースペクトルのレベルにより安静閉眼状態であるかを判定する。安静閉眼状態であればステップ２を繰り返す。
ステップ３：Ｆ＜３ならＦ＝Ｆ＋１としてステップ２へ移行する。
【００７２】
（４）拍動の速さと時間的変化の調整法の一例
以下のステップに従って調整を行う方法が考えられる。
ステップ１：初期設定としてＦ＝１とする。
ステップ２：α波帯域のパワースペクトルのレベルにより安静状態であるかを判定する。安静状態であればステップ２を繰り返す。
ステップ３：Ｆ＜３ならＦ＝Ｆ＋１としてステップ２へ移行する。
【００７３】
上記の４つの調整法は、病院側施設等の使用者（可視光の制御者）が利用したいと考えるものを自由に選択し、任意の順番で実施することも、同様に、可能である。
【００７４】
さらに、各調整法のステップ２の後に、他の任意の数の調整法を組み込むことにより、複数の調整法を一連の流れとして実施することも可能である。例えば、拍動の速さと明るさ・色の調整のステップ２の後に拍動の速さと時間的変化の調整を組み込むことにより、拍動の速さと明るさ・色の調整と拍動の速さと時間的変化の調整を、一連の処理の流れとして行うことが可能である。また、脳波のα波帯域のパワースペクトルと明るさ・色の調整のステップ２の後に拍動の速さと明るさ・色の調整を組み込むことにより、脳波のα波帯域のパワースペクトルと明るさ・色の調整と拍動の速さと明るさ・色の調整を一連の流れとして行うことも、同様に可能である。さらに、組み込み方法も、ある調整法のステップ２の後に、複数の調整法を直列に並べることも可能であり、あるいは、組み込む調整法内でも、どれかが他の調整法のステップ２の後に組み込まれていることも可能であり、上記の例に限定されるものではない。
【００７５】
これらの一連の処理を行う場合の、クライアントユーザ宅側から、返送される情報通知データは、ユーザＩＤ、パスワード（ＰＡＳＳ）、ＧＰＳ情報、測定装置種別１、測定データ１、装置種別２、測定データ２等を含み、フィードバックされるたび毎に相互認証を行うことが好ましい。この相互認証を組み合わせることにより、遠隔からの可視光照明に関わる診療内容を高度に安全化を図ることが、でき、この認証操作は、当該のレシピデータやユーザクライアントからの変化情報通知を行う必要の無い場合おいても、定期的に行うことが信頼性の面では望ましい。図１４に、クライアントユーザ端末からの状態を通知するための可視光制御情報の構成例を示す。
【００７６】
図１５に、クライアント端末１１と遠隔制御端末１２間で、インタラクティブに制御する場合の信号シーケンス例を示す。スッテプＳ６１１では、クライアント端末１１が、可視光の制御要求があるのか判断する。スッテプＳ６１１を随時繰り返す。スッテプＳ６１２では、クライアント端末１１が、医療診断装置があるのかを判定する。医療診断装置は、例えば、図１に示すセンサ１４である。スッテプＳ６１２で医療診断装置があると判定した場合、スッテプＳ６１３へ移行する。スッテプＳ６１２で医療診断装置がないと判定した場合、スッテプＳ６１４へ移行する。スッテプＳ６１３では、クライアント端末１１が、医療診断装置から生理的状態から状態通知情報を含むデータを作成する。
【００７７】
スッテプＳ６１４では、クライアント端末１１が、可視光制御情報を要求する制御要求データを遠隔制御端末１２へ送信する。制御要求データには、状態通知情報のほかに、クライアント端末１１の識別情報（ＩＤ）、パスワード、位置情報、ＧＰＳ情報が含まれることが好ましい。スッテプＳ６１４を経た後、スッテプＳ６１５及びスッテプＳ５１１へ移行する。
【００７８】
スッテプＳ５１１では、遠隔制御端末１２が、クライアント端末１１から制御要求データを受信したか否かを繰り返し判定する。制御要求データを受信したと判定した場合、スッテプＳ５１２へ移行する。スッテプＳ５１２では、遠隔制御端末１２が、制御要求データの送信元となるクライアント端末１１の認証を行う。
【００７９】
スッテプＳ５１３では、遠隔制御端末１２は、認証に成功したか否かを判定する。認証は、更改鍵での認証のほか、位置情報、ＧＰＳ情報、パスワード等の種々の認証情報を用いて行うことができる。認証に成功しなかった場合、遠隔制御端末１２は、ステップＳ５１４に移行する。ステップＳ５１４では、遠隔制御端末１２は、認証に成功しなかったクライアント端末１１との通信を遮断し、ステップＳ５１１へ移行する。認証に成功した場合、遠隔制御端末１２は、ステップＳ５１５に移行する。
【００８０】
スッテプＳ５１５では、遠隔制御端末１２は、クライアント端末１１からの制御要求データに状態通知情報が含まれているか否かを判定する。状態通知情報が含まれていない場合、遠隔制御端末１２は、ステップＳ５１６へ移行する。スッテプＳ５１６では、遠隔制御端末１２は、クライアント端末１１に適したレシピのデータをデータベースから読み出す。そして、スッテプＳ５１８に移行する。スッテプＳ５１５では、状態通知情報が含まれている場合、遠隔制御端末１２は、ステップＳ５１７へ移行する。
【００８１】
ステップＳ５１７では、遠隔制御端末１２は、状態通知情報の分析及び可視光制御情報の作成を分析プログラムとデータベースを基に作成する。スッテプＳ５１８では、遠隔制御端末１２は、スッテプＳ５１６又はステップＳ５１７で作成した可視光制御情報を、クライアント端末１１に送信する。遠隔制御端末１２は、可視光制御情報とともに、識別情報ＩＤ、パスワード、ＧＰＳ情報などの情報を送信することが好ましい。
【００８２】
スッテプＳ６１５では、クライアント端末１１は、遠隔制御端末１２からの可視光制御情報を受信したか否かを繰り返し判定する。ステップＳ６１６では、クライアント端末１１は、可視光制御情報の送信元の遠隔制御端末１２を認証する。認証は、例えば、識別情報ＩＤ、位置情報、ＧＰＳ情報、公開鍵暗号などの種々の認証方法を用いることができる。スッテプＳ６１６の後スッテプＳ６１７に移行する。
【００８３】
スッテプＳ６１７では、クライアント端末１１は、認証に成功したか否かを判定する。スッテプＳ６１７において、認証が成功しないとスッテプＳ６１８に移行し、認証が成功するとスッテプＳ６１９に移行する。スッテプＳ６１８では、クライアント端末１１は、認証が成功しなかった遠隔制御端末１２との通信を遮断する。スッテプＳ６１９では、クライアント端末１１は、遠隔制御端末１２から受信した可視光制御情報に従い、時間分布が各種の１／ｆパターンを持つように色彩毎の輝度又は単色色彩の輝度を制御して提供する可視光照明提供サービスを実行する。例えば、クライアントユーザ宅８１の可視光制御装置（図１の符号４１Ａ及び４１Ｂ）を起動して、制御データをデコードし、指定されたレシピに基づく可視光を照射する。
【００８４】
このシーケンス例に従った制御を双方で行うことにより、患者の現在の状態を勘案した、最適な、可視光照射用のレシピデータを送出することが可能となり、これらの情報の双方向転送を一定周期で、実施することにより、患者側にとって、与える可視光用のレシピの状態を、リアルタイムに、かつインタラクティブに変更することが可能となる。
【００８５】
なお、上記の患者宅から送信される可視光制御情報内に含まれる装置種別としては、各種の環境センサからの信号以外に、脳波測定装置、脈波測定装置、光トポグラフィー、またはｆＭＲＩ等の装置が想定される。病院側では、これらの測定データに基づいて、適切に分析処理が行われた後に、可視光用のレシピを検索し、患者宅に向けて可視光制御信号を送信する。
【００８６】
図１６は、図９に示す実施例の拡張例を示すものである。図９の実施例においては、レシピデータは、基本的には可視光を、ユーザ宅内で、どのように制御するか、または遠隔から、どのように、制御するかに関する構成例を示したものである。この際に、個人の好みに応じて、遠隔制御される情報とは独立に、当該の、好みの可視光を１／ｆ揺らぎ信号で変調することだけで十分な患者にも対応したシステムとするために、病院側からの可視光制御情報と独立に選択できる回路を備える必要がある。
【００８７】
また、可視光に音楽信号を重畳するか、もしくは、患者の癒しに、適切な快適な効果を与える映像信号を、別の色彩の可視光に、重畳することができるように、システムを構成することも同様に可能である。この場合に、前述したように、室内、または、環境センサにより、取得した情報等も、活用して、最適な１／ｆ揺らぎを与える「電子ろうそく」を、特定の色彩を持つ可視光ＬＥＤにより、実現することも同様に可能である。
【００８８】
また、一般に、可視光ＬＥＤは信号を伝播する際には、適切な変調を行うことにより、到達距離を伸ばすことが必要となる、変調方式としては、ＰＰＭ（Ｐｕｌｓｅ  Ｐｏｓｉｔｉｏｎ  Ｍｏｄｕｌａｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｉｏｎ）など、様々な方式が実用化されているが、送信用のＬＥＤや受信用のホトダイオードの特性にあったものを適切に選定する必要がある。図１６は一例として、ＰＰＭを用いて数ｍ〜数十ｍまで、照射距離の延長が可能な場合を一例として示している。アナログ信号をＰＰＭ変調した場合には、受信側ではＰＷＭ（Ｐｕｌｓｅ  Ｗｉｄｔｈ  Ｍｏｄｕｌａｔｉｏｎ）変調を行い、復号化を容易に実現できる。
【産業上の利用可能性】
【００８９】
本発明は、遠隔医療や、癒しを与える環境を提供する際に、遠隔からの、またはローカルな状態における可視光照明の制御を、ユーザのおかれた環境状態や心理、生理状態等を考慮して、各種医療診断装置、家庭内の簡易医療器具等や、各種センサ等を効果的に活用し、高い信頼性と、安全性のもとでユーザに対して、「癒し」や健康管理上の「快適さ」等を提供するためのサービスに利用可能である。
【図面の簡単な説明】
【００９０】
【図１】実施形態１に係る可視光照明用遠隔制御システムの構成図である。
【図２】実施形態１に係るクライアント端末および遠隔制御端末の一例を示す構成図である。
【図３】照明光を規定するレシピの一例である。
【図４】実施形態２に係る可視光照明用遠隔制御システムの構成図である。
【図５】実施形態２に係るクライアント端末および遠隔制御端末の一例を示す構成図である。
【図６】実施形態２に係る可視光遠隔制御システムの別形態の構成図である。
【図７】実施形態１及び実施形態２に係る可視光遠隔制御システムにおける照明装置の実施形態例である。
【図８】実施形態１及び実施形態２に係る照明装置における、マイコン（プロセッサ等）を用いたデコーダの一例である。
【図９】実施形態１及び実施形態２に係る可視光遠隔制御システムの第１実施例である。
【図１０】α波出現判定用閾値の決定のための処理フローの一例である。
【図１１】データベースを活用したα波の出現判定のためのフローの一例である。
【図１２】心電図または脈波による安静状態判定用閾値の決定処理フローの一例を示す。
【図１３】心電図または脈波による安静状態判定のフローの一例を示す。
【図１４】クライアントユーザ端末からの状態を通知するための可視光制御情報の構成例を示す。
【図１５】クライアント端末１１と遠隔制御端末１２間で、インタラクティブに制御する場合信号シーケンス例を示す。
【図１６】実施形態１及び実施形態２に係る可視光遠隔制御システムの第２実施例である。
【符号の説明】
【００９１】
１１  クライアント端末
１２  遠隔制御端末
１３  通信ネットワーク
１４  センサ
１５  照明装置
１６  クライアント端末位置情報取得手段
１７  遠隔制御端末位置情報取得手段
１８  センサ
２２  クライアント端末状態通知情報送信手段
２３  サービス実行手段
２５  クライアント端末位置情報送信手段
２６  クライアント端末認証手段
２７  クライアント端末データベース格納手段
２８  クライアント端末サービス制御手段
３１  遠隔制御端末データベース格納手段
３２  遠隔制御端末サービス制御手段
３３  可視光制御情報送信手段
３５  遠隔制御端末位置情報送信手段
３６  遠隔制御端末認証手段
４１  可視光制御装置
４２  デコーダ
４３  切替え装置
４４  処理回路
８１  クライアントユーザ宅
８２  病院等の制御センタ
【図１】
0005201617.tif 000002
【図２】
0005201617.tif 000003
【図３】
0005201617.tif 000004
【図４】
0005201617.tif 000005
【図５】
0005201617.tif 000006
【図６】
0005201617.tif 000007
【図７】
0005201617.tif 000008
【図８】
0005201617.tif 000009
【図９】
0005201617.tif 000010
【図１０】
0005201617.tif 000011
【図１１】
0005201617.tif 000012
【図１２】
0005201617.tif 000013
【図１３】
0005201617.tif 000014
【図１４】
0005201617.tif 000015
【図１５】
0005201617.tif 000016
【図１６】
0005201617.tif 000017